(57)【要約】【課題】パック体を分解構造としワンタッチで分解、組立を可能として、使用性および整備、清掃性を向上した容器内のパック支持具を提供する。【解決手段】開口部を有する容器の内部に収納あるいは内部から取出し可能にされた支持装置に、パック体を支持するように構成された容器内のパック支持具において、前記支持装置は、複数の縦部材を平行に組み合わせ該縦部材の両端部に面板をそれぞれ連結して形成された２個の半筒容器を備え、該２個の半筒容器を軸方向線周りに回動可能に連結する支着手段と、前記２個の半筒容器が前記支着手段による前記軸方向線周りの回動により閉じたとき、前記支着手段の周方向の反対側部位に前記２個の半筒容器を着脱可能に係止する係止手段と、を備えたことを特徴とする。【選択図】図１
0003157136.tif 000002
【実用新案登録請求の範囲】
【請求項１】
開口部を有する容器の内部に収納され、パック体を前記容器の開口部から出し入れ自在に支持する支持装置を有するパック支持具において、
前記支持装置は、複数の縦部材を平行に組み合わせ該縦部材の両端部に面板をそれぞれ連結して形成された２個の半筒容器を備え、
該２個の半筒容器を軸方向線周りに回動可能に連結する支着手段と、
前記２個の半筒容器が前記支着手段による前記軸方向線周りの回動により閉じたとき、前記支着手段の周方向の反対側部位に前記２個の半筒容器を着脱可能に係止する係止手段と、
を備えたことを特徴とするパック支持具。
【請求項２】
前記２個の半筒容器は、前記複数の縦部材を平行にして該縦部材の両端部に面板をそれぞれ連結して半円状に２個形成して、２個の半円状体を前記支着手段で軸方向線周りに回動可能に連結するとともに、前記係止手段により前記支着手段の周方向の反対側部位を着脱可能に係止するように構成されたことを特徴とする請求項１記載のパック支持具。
【請求項３】
前記支持装置の上部には、前記容器の入口蓋部に形成されたねじに螺合するねじ部を備え、前記２個の半筒容器を閉じた状態で前記ねじ部を前記蓋部にねじ込むことにより前記支持装置を前記容器に支持可能に構成されたことを特徴とする請求項１記載のパック支持具。
【請求項４】
前記支着手段は、前記２個の半筒容器を回動可能に連結する蝶番により構成されたことを特徴とする請求項１記載の容器内のパック支持具。
【請求項５】
前記係止手段は、前記２個の半筒容器のそれぞれに設けられた合わせ部を、合わせ結合、磁石結合およびフック結合の中の、何れか１つにより結合したことを特徴とする請求項１記載のパック支持具。
【考案の詳細な説明】
【技術分野】
【０００１】
本考案は、ペットボトル等の開口部を有する容器の内部に挿入して、お茶や各種粒、粉体などを煎れた穴あきのパック体を、該容器の開口部から出し入れ自在に支持する、容器内のパック支持具に関するものである。
【背景技術】
【０００２】
従来、通常のティーパック支持具では、ペットボトル等の開口部を有する容器の内部の液中に、容器（ペットボトル）の開口部から出し入れ自在に構成したティーパックに、お茶等をいれて煎じだし、ティーパックの使用後には、該ティーパックを容器から取り出して清掃し別個に収納するものが、提供されている。特に、ペットボトル等の容器にティーパックを支持装置に直接挿入して支持し、随時にティーパックから溶け出したお茶等を飲用するものが多い。
【０００３】
特許文献１（特開２００５−２８７７２７号公報）のものは、これに特許文献１と同様な符号を付して説明すると、抗菌、非破裂容器６２の内部に、前記容器６２の入口よりも小径で固形材料１３を収納した円柱型袋体１０を設け、該円柱型袋体１０の上部を容器の入口側に延びるくし型袋体支持具２０を接続し、該型袋体支持具２０の入口部を容器６２に螺合し、該型袋体支持具２０の上端部を容器６２の蓋５０に固定している。
【先行技術文献】
【特許文献】
【０００４】
【特許文献１】特開２００５−２８７７２７号公報
【考案の概要】
【考案が解決しようとする課題】
【０００５】
しかしながら、かかる従来の通常のティーパック支持具では、ティーパックの支持装置へのティーパックの脱着に手数を要し、またティーパックの支持装置そのものが、構造が複雑で、ワンタッチで支持装置からティーパックを取外すことができず、さらに、ティーパック取り外し後の清掃も面倒という不具合がある。
【０００６】
また、特許文献１の手段にあっては、抗菌、非破裂容器６２の内部に収納された円柱型袋体１０は、当然ながら該円柱型袋体１０を容器６２に挿入するために、円柱型袋体１０の外径を容器６２の入口径よりも小径となるが、該円柱型袋体１０が分解構造でなくワンタッチで分解できない一体型であるため、円柱型袋体１０を容器６２から引き出して整備、清掃するのに、多くの工数を要し、使用性および整備、清掃性が悪い。
【０００７】
そこで、本考案は前記の問題点に鑑みなされたものであり、ワンタッチで分解、組立を可能として、使用性および整備、清掃性を向上したパック支持具を提供することを目的とする。
【課題を解決するための手段】
【０００８】
本考案はかかる課題を解決するもので、開口部を有する容器の内部に収納され、パック体を前記容器の開口部から出し入れ自在に支持する支持装置を有するパック支持具において、前記支持装置は、複数の縦部材を平行に組み合わせ該縦部材の両端部に面板をそれぞれ連結して形成された２個の半筒容器を備え、該２個の半筒容器を軸方向線周りに回動可能に連結する支着手段と、前記２個の半筒容器が前記支着手段による前記軸方向線周りの回動により閉じたとき、前記支着手段の周方向の反対側部位に前記２個の半筒容器を着脱可能に係止する係止手段と、を備えたことを特徴とする。
【０００９】
本考案によれば、容器の内部に収納した支持装置を、２個の半筒容器で構成し、該２個の半筒容器を、複数の縦部材を平行に組み合わせ該縦部材の両端部に面板をそれぞれ連結して形成して、支着手段を介して軸方向線周りに回動可能に連結するとともに、支着手段の周方向の反対側部位を係止手段にて着脱可能に係止したので、前記支持装置を容器の内部に収納する時には、２個の半筒容器を、支着手段で軸方向線周りに回動して半筒容器同士を閉じて、該支着手段の周方向の反対側部位を係止手段にて係止することにより、２個の半筒容器が支着手段及び係止手段により相互に閉じて容器の入口径以下の外径のコンパクトな構成とできるようにする一方、支持装置を容器の外部に出して、整備、清掃等を行うときには、２個の半筒容器を、係止手段の係止を外して支着手段を介して軸方向線周りに回動することにより、該２個の半筒容器は軸方向線周りに開いた状態になって内部が露出して、内部のパック体の交換や、内部の清掃を簡単にできる。
【００１０】
即ち、支持装置を容器の外部に出したときには、２個の半筒容器を係止手段の係止を外して支着手段周りに回動させて内部のパック体の交換、内部の清掃を簡単に行うことができ、支持装置を容器の内部に収納する時には、支着手段周りに回動させて係止手段を係止して、２個の半筒容器を容器の入口径以下のコンパクトな構造にすることができるという、分解、組立の切り替え動作を、係止手段の係止と支着手段の周りの回動というワンタッチの操作で行うことができる。
【００１１】
また、本考案において、前記２個の半筒容器は、前記複数の縦部材を平行にして該縦部材の両端部に面板をそれぞれ連結して半円状に２個形成して、２個の半円状体を前記支着手段で軸方向線周りに回動可能に連結するとともに、前記係止手段により前記支着手段の周方向の反対側部位を着脱可能に係止するように構成すれば、支持装置を構成する２個の半筒容器を、２個の半円状体で円柱状に構成することにより、ティーパック支持具に好適な支持装置を得ることができる。
【００１２】
また、本考案において、前記支持装置の上部には、前記容器の入口蓋部に形成されたねじに螺合するねじ部を備え、前記２個の半筒容器を閉じた状態で、前記ねじ部を前記蓋部にねじ込むことにより前記支持装置を前記容器に支持可能に構成すれば、支持装置のペットボトル等の容器内に、出し入れするときは、支持装置の上部に設けたねじを、容器の入口蓋部に形成されたねじに螺合あるいは取外すことにより、支持装置の容器内の出し入れが簡単にできる。
【００１３】
また、本考案において、前記支着手段は、前記２個の半筒容器を回動可能に連結する蝶番により構成すれば、蝶番という市販性があり簡単な部品を用いて、該蝶番を半筒容器の軸方向線に沿って２箇所以上設置することにより、２個の半筒容器を回動可能に簡単かつ低コストで結合することができる。
【００１４】
また、本考案において、前記係止手段は、前記２個の半筒容器のそれぞれに設けられた合わせ部を、合わせ結合、磁石結合、フック結合の中の、何れか１つにより結合すれば、２個の半筒容器の係止手段のそれぞれに設けられた合わせ部を、それぞれの合わせ部を合わせて結合する手段、それぞれの合わせ部を磁石にて結合する手段、それぞれの合わせ部にフックを用いて結合する手段のうちの、何れか１つによって結合すれば、２個の半筒容器を簡単な方法でしかも使用中に係止手段が外れずに確実に係止することができる。
【００１５】
尚、本考案は、開口部を有する容器の内部に収納あるいは内部から取出し可能にされたティーパック支持具に、ティーパックを支持するように構成されたティーパック支持具に用いて好適であり、かかる場合は、ティーパック支持具は、複数の縦部材を平行に組み合わせて該縦部材の両端部に面板をそれぞれ連結して形成された２個の半筒容器を備え、該２個の半筒容器を軸方向線周りに回動可能に連結する支着手段と、前記２個の半筒容器が前記支着手段による前記軸方向線周りの回動により閉じたとき、前記支着手段の周方向の反対側部位に前記２個の半筒容器を着脱可能に係止する係止手段と、を備えるように構成する。
【考案の効果】
【００１６】
本考案によれば、容器の内部に収納可能にした支持装置を、２個の半筒容器で構成し、２個の半筒容器を、複数の縦部材を平行に組み合わせ該縦部材の両端部に面板をそれぞれ連結して形成して、支着手段を介して軸方向線周りに回動可能に連結するとともに、支着手段の周方向の反対側部位を係止手段にて着脱可能に係止したことにより、前記支持装置を容器の外部に出したときには、２個の半筒容器を係止手段の係止を外して支着手段周りに回動させて内部のパック体の交換、内部の清掃を簡単に行うことができ、支持装置を容器の内部に収納する時には、支着手段周りに回動させて係止手段を係止して２個の半筒容器を容器の入口径以下のコンパクトな構造にすることができるという、分解、組立の切り替え動作を、係止手段の係止と支着手段の周りの回動というワンタッチの操作で行うことができる。これにより、使用性および整備、清掃性を向上した容器内のパック支持具を提供できる。
【図面の簡単な説明】
【００１７】
【図１】（Ａ）は本考案の第１実施形態を示すペットボトル内に収納されたティーパックの支持装置の側面図、（Ｂ)は（Ａ）のＹ部詳細図である。
【図２】図1におけるＡ−Ａ矢視図である。
【図３】図１におけるＺ部拡大断面図である。
【図４】前記第１実施形態におけるティーパックの支持装置の９０°展開図である。
【図５】前記第１実施形態におけるティーパックの支持装置の１８０°展開図である。
【図６】前記第１実施形態における図４のＢ−Ｂ部分矢視図である。
【図７】第１実施形態における図６のＣ矢視図である。
【図８】本考案の第２実施形態を示す図５対応図である。
【図９】本考案の第３実施形態を示す図５対応図である。
【考案を実施するための形態】
【００１８】
以下、図面を参照して本考案の実施形態について詳細に説明する。
【００１９】
図１の（Ａ）は本考案の第１実施形態を示すペットボトル内に収納されたティーパックの支持装置の側面図、（Ｂ)は（Ａ）のＹ部詳細図である。また、図２は図1におけるＡ−Ａ矢視図、図３は図１におけるZ部拡大断面図である。また図４は前記第１実施形態におけるティーパックの支持装置の９０°展開図である。また図５は前記第１実施形態におけるティーパックの支持装置の１８０°展開図である。図６は前記第１実施形態における図４のＢ−Ｂ部分矢視図、図７は第１実施形態における図６のＣ矢視図である。
【００２０】
図1〜４において、ペットボトル１００の内部には、パック支持具５０が収納されている。前記パック支持具５０は、樹脂製が通常であるが、竹にて構成することもできる。該パック支持具５０は、前記ペットボトル１００内に、収納あるいは取出し可能（詳細は後述）となっている。前記パック支持具５０は、複数の縦部材１ａ〜１ｆを平行に組み合わせ、該縦部材１ａ〜１ｆの両端部に面板２ａ、２ｂ、３ａ、３ｂをそれぞれ連結して形成された２個の半筒容器１０ａ及び１０ｂを備えている。
【００２１】
即ち、図1(Ａ)、図２、図４において、前記パック支持具５０は、左側半筒容器１０ａと右側半筒容器１０ｂとを、軸方向線１ｓで接続して構成される。図２に示すように、前記左側半筒容器１０ａは３本の縦部材１ａ、１ｃ、１ｅを軸方向線１ｓに平行に設け、前記右側半筒容器１０ｂは３本の縦部材１ｂ、１ｄ、１ｆを軸方向線１ｓに平行に設けている。そして、図４に示すように、前記左側半筒容器１０ａの３本の縦部材１ａ、１ｃ、１ｅは上端部を面板３ａにそれぞれ固着され、下端部を面板２ａにそれぞれ固着されている。また前記右側半筒容器１０ｂの３本の縦部材１ｂ、１ｄ、１ｆは上端部を面板３ｂにそれぞれ固着され、下端部を面板２ｂにそれぞれ固着されている。
【００２２】
したがって、図２に示すように、前記左側半筒容器１０ａ及び右側半筒容器１０ｂは、前記左側半筒容器１０ａの複数の縦部材１ａ、１ｃ、１ｅ、及び右側半筒容器１０ｂの複数の縦部材１ｂ、１ｄ、１ｆを平行に配置して、全体として半円状の配置に形成されている。
【００２３】
また、前記左側半筒容器１０ａと右側半筒容器１０ｂの接合部は、図４及び図６〜図７に示すように、前記左側半筒容器１０ａと右側半筒容器１０ｂとは、軸方向線１ｓで接続され、該軸方向線１ｓには、図４のように、軸方向に沿って、２箇所に蝶番（支着手段）７が取り付けられている。
即ち、前記左側半筒容器１０ａと右側半筒容器１０ｂとは、蝶番７の軸７ｃ周りに回動可能となっている。即ち、図６〜７に示すように、蝶番７の一方７ａが左側半筒容器１０ａの縦部材１ｅにボルト７ｄで固着され、蝶番７の他方７ｂが右側半筒容器１０ｂの縦部材１ｆにボルト７ｄで固着され、両者（左側半筒容器１０ａと右側半筒容器１０ｂ）は、軸７ｃ周りに回動可能となっている。
１２は、前記縦部材１ａ〜１ｆの外周を巻く、弾性を有する帯状体である。
【００２４】
このように構成することにより、蝶番７という市販性があり簡単な部品を用いて、該蝶番７を左側半筒容器１０ａと右側半筒容器１０ｂの軸方向線１ｓに沿って２箇所（２箇所以上でも良い）設置することにより、２個の半筒容器１０ａ、１０ｂを回動可能に簡単かつ低コストで結合することができる。
【００２５】
また、図３および図４に示すように、前記上部の面板３ａ（面板３ｂでも良い）には、入口棒部４が固着され、該入口棒部４の上端部にはキャップ５が固着されている。図３に示すように、該キャップ５の内周にはねじ部５ｓが形成され、該ねじ部５ｓを前記ペットボトル１００のねじ形成部１０１にねじ込むことにより、前記支持装置５０をペットボトル１００に支持するようになっている。
【００２６】
また、図３に示すように、前記支持装置５０が前記蝶番（支着手段）７により、左側半筒容器１０ａと右側半筒容器１０ｂとが閉鎖したとき(即ち支持装置５０がペットボトル１００内にあるとき)には、支持装置５０の最大径D２はペットボトル１００の入口内径D１よりも小さくして、支持装置５０をペットボトル１００に挿入可能としている。
このように、構成することにより、支持装置５０をペットボトル１００内に、出し入れするときは、支持装置５０の上部に設けたねじ部５ｓを、ペットボトル１００の入口蓋部４に形成されたねじに螺合あるいは取外すことにより、支持装置５０のペットボトル１００内の出し入れが簡単にできる。
【００２７】
次に、前記第1実施形態の作用、効果につき説明する。
【００２８】
以上の構成から、前記左側半筒容器１０ａと右側半筒容器１０ｂとが、前記蝶番７の軸７ｃ周りに０°〜１８０°まで回動可能となる。そして、前記パック支持具５０がペットボトル１００の内部に配置されているときには、蝶番７により、図1（Ａ）及び図２に示すように、左側半筒容器１０ａの縦部材１ａと右側半筒容器１０ｂの縦部材１ｂとが合わせ部５１で接合している。
そして、この蝶番７による合わせ部５１の接合時には、該蝶番（支着手段）７の周方向の反対側部位に前記２個の半筒容器１０ａと１０ｂとを接合状態で着脱可能に係止する係止手段６ａ、６ｂを設けている。
【００２９】
かかる係止手段６ａ、６ｂは、図1（Ａ）、（Ｂ）に示すように、この実施形態では、前記縦部材１ａに固定した係止片６ａと縦部材１ｂに固定した係止片６ｂとを備え、前記左側半筒容器１０ａと右側半筒容器１０ｂとを閉じたとき（図２参照）に、係止片６ａと係止片６ｂとが長さｔだけラップ６ｓして摩擦接触し、該摩擦力にて前記左側半筒容器１０ａと右側半筒容器１０ｂとの接触を保持する。これにより、前記パック支持具５０は、図１（Ａ）のように、ペットボトル１００内に保持され、且つ左側半筒容器１０ａと右側半筒容器１０ｂとが開くことはない。
【００３０】
前記係止手段６ａ、６ｂは、前記係止片６ａと係止片６ｂとの摩擦接触(即ち、合わせ結合)の他に、
（１）係止片６ａと係止片６ｂを磁石で構成して両者を節脱する。
（２）係止片６ａと係止片６ｂにフックを形成して、両フックを係合する。
（３）係止片６ａと係止片６ｂに、面ファスナーを用いて係合する。
等の係止手段６ａ、６ｂを用いることが出来る。
【００３１】
このように、左側半筒容器１０ａと右側半筒容器１０ｂとを、係止手段６ａ、６ｂの何れか１つによって接触させれば、２個の半筒容器１０ａ、１０ｂを簡単な方法で、しかも使用中に係止手段６ａ、６ｂが外れずに確実に係止することができる。
【００３２】
また、前記パック支持具５０を樹脂製にした場合は、前記蝶番（支着手段）７に代えて、該蝶番７の部分を局部的に薄肉にして、該薄肉部を折り曲げ可能にして、前記左側半筒容器１０ａ及び右側半筒容器１０ｂに連結しても良い。
【００３３】
以上のようにして、図１（Ａ）のようにペットボトル１００内に前記左側半筒容器１０ａと右側半筒容器１０ｂとが合わさって保持されたパック支持具５０に、図４のように、ティーパック１０１を入れて、ティーパック１０１から水だしをして、お茶を煎じる。
【００３４】
次に、ペットボトル１００内から、パック支持具５０を取り出して、整備、清掃等を行うときには、パック支持具５０を構成する前記左側半筒容器１０ａと右側半筒容器１０ｂとを、図１（Ａ）の状態で、前記キャップ５のねじ部５ｓをペットボトル１００のねじ部から外して、入口棒部４を介してパック支持具５０を、ペットボトル１００の外側に取り出す。そして、前記係止手段６ａ、６ｂを外すと、図４に示すように、左側半筒容器１０ａと右側半筒容器１０ｂとは軸方向線１ｓ周りに開いた状態（この場合は開き角が９０°程度）になって、パック支持具５０内のティーパック１０１が露出している。
【００３５】
また、図５は、左側半筒容器１０ａと右側半筒容器１０ｂとは軸方向線１ｓ周りに１８０°開いた状態を示す。図示以外の部材は前記第1実施形態と同様である。
【００３６】
従って、パック支持具５０を、ペットボトル１００の外側に取り出したときには、左側半筒容器１０ａと右側半筒容器１０ｂとの係止手段６ａ、６ｂの係止を外して、前記蝶番（支着手段）７の周りに回動させることにより、パック支持具５０の内部のティーパック１０１の交換や、内部の清掃を簡単に行うことができる。
また、前記のように、パック支持具５０をペットボトル１００内に収納する時には（図１（Ａ）参照）、蝶番（支着手段）７の回動により、パック支持具５０の左側半筒容器１０ａと右側半筒容器１０ｂとを閉じて、係止手段６ａ、６ｂを係止して、前記２個の半筒容器１０ａ、１０ｂからなるパック支持具５０を、ペットボトル１００の入口径Ｄ１以下のコンパクトな構造にすることができる。
【００３７】
これにより、パック支持具５０の分解、組立の切り替え動作を、係止手段６ａ、６ｂの係止と蝶番（支着手段）７の周りの回動というワンタッチの操作で行うことができる。従って、かかるパック支持具５０は、ティーパック１０１の支持装置として好適な装置を得ることができる。
【００３８】
図８は本考案の第２実施形態を示す図５対応図である。この第２実施形態においては、パック支持具５０を、前記ティーパック１０１に変えて、前記左側半筒容器１０ａ及び右側半筒容器１０ｂの、複数の縦部材１ａ、１ｃ、１ｅ及び縦部材１ｂ、１ｄ、１ｆの間に、網目状の濾器８を貼設している。図８以外の部材は前記第1実施形態と同様であり、これと同一の部材は同一の符号で示す。
【００３９】
図９は本考案の第３施形態を示す図５対応図である。この第３実施形態においては、パック支持具５０を、前記ティーパック１０１に変えて、前記左側半筒容器１０ａ及び右側半筒容器１０ｂの、複数の縦部材１ａ、１ｃ、１ｅ及び縦部材１ｂ、１ｄ、１ｆの間に、多数の穴あき板９を貼設している。図９以外の部材は前記第1実施形態と同様であり、これと同一の部材は同一の符号で示す。
【００４０】
以上、本考案の好ましい実施形態について述べたが、本考案は既述の実施形態に限定されるものではなく、実用新案登録請求の範囲に記載された本考案の要旨の範囲内において、各種の変更及び変形が可能である。
【符号の説明】
【００４１】
１ａ、１ｃ、１ｅ  縦部材
１ｂ、１ｄ、１ｆ  縦部材
１ｓ  軸方向線
２ａ、２ｂ  面板
３ａ、３ｂ  面板
４  入口棒部
５  キャップ
５ｓ  ねじ部
６ａ、６ｂ  係止手段
７  蝶番（支着手段）
７ｃ  軸
１０ａ  左側半筒容器
１０ｂ  右側半筒容器
５０  パック支持具
１００  ペットボトル
Ｄ１  ペットボトル入口内径
Ｄ２  支持装置の最大径
【図１】
0003157136.tif 000003
【図２】
0003157136.tif 000004
【図３】
0003157136.tif 000005
【図４】
0003157136.tif 000006
【図５】
0003157136.tif 000007
【図６】
0003157136.tif 000008
【図７】
0003157136.tif 000009
【図８】
0003157136.tif 000010
【図９】
0003157136.tif 000011